(57)【要約】【課題】車椅子に乗った患者が、歯科治療へ乗降する際に使用して、患者の歯科治療椅子への乗降を助けるようにした歯科治療椅子への乗降補助装置を提供する。【解決手段】乗降補助装置３０を歯科治療椅子１０の前に配置し、車椅子２０の患者が前記歯科治療椅子１０に乗降するのを介助する。乗降補助装置３０は、回転板３３と、該回転板３３上に所定の間隔をおいて平行に相対向して立設された一対の肘受け３４１，３４２を有し、該肘受けは平行状態を保って前後に回動可能であり、更には、肘受けアーム３５１，３５２は上下に伸縮も可能である。【選択図】　　　　図１
2004105414.tif 000002
【特許請求の範囲】
【請求項１】
歯科治療椅子の前に配置し、車椅子の患者が前記歯科治療椅子に乗降するのを介助する補助装置であって、該補助装置は、患者が乗るための回転板と、該回転板上に所定の間隔をおいて平行に相対向して立設された一対の肘受けを有し、該肘受けは平行状態を保って前後に回動可能であることを特徴とする歯科治療椅子への乗降補助装置。
【請求項２】
前記肘受けは伸縮自在であることを特徴とする請求項１に記載の歯科治療椅子への乗降補助装置。
【請求項３】
前記肘受けは予め設定されたプログラムに基いて該肘受けの回動に対応して長さが調整されることを特徴とする請求項１又は２に記載の歯科治療椅子の乗降補助装置。
【発明の詳細な説明】
【０００１】
【発明の属する技術分野】
本発明は、車椅子に乗った患者が、歯科治療椅子へ乗降する際に使用して、患者の歯科治療椅子への乗降を助けるようにした歯科治療椅子への乗降補助装置に関する。
【０００２】
【従来の技術】
図２は、歯科治療椅子に、車椅子に乗った患者を乗降させる場合の例を説明するための要部構成図で、図中、１０は歯科治療椅子、２０は車椅子で、車椅子２０に乗っている患者Ａを、歯科治療椅子１０に乗せる場合、介添人Ｂは、歯科治療椅子１０のバックレスト１１の後側に立ち、バックレスト１１の横側から患者Ａの脇をかかえ、介添人Ｃが患者Ａの膝を持って、患者Ａを介添人ＢとＣで一緒に持ち上げ、歯科治療椅子１０のコンターシートの上に横方向から乗せる場合が多かった。
【０００３】
しかし、実際には、車椅子に乗った患者でも、自力で立つこともでき、多少は歩くことのできる人もおり、このような人は、できるだけ自力で乗降するのが好ましいが、中には、何らかの手助けが必要な人もいる。
【０００４】
【発明が解決しようとする課題】
本発明は、上述のごとき実情に鑑みてなされたもので、車椅子上の患者を歯科治療椅子に容易に乗せ、或いは、歯科治療椅子上の患者を車椅子へ容易に乗せることができるようにした歯科治療椅子乗降用の補助装置に関する。
【０００５】
【課題を解決するための手段】
請求項１の発明は、歯科治療椅子の前に配置し、車椅子の患者が前記歯科治療椅子に乗降するのを介助する補助装置であって、該補助装置は、患者が乗るための回転板と、該回転板上に所定の間隔をおいて平行に相対向して立設された一対の肘受けを有し、該肘受けは平行状態を保って前後に回動可能であることを特徴としたものである。
【０００６】
請求項２の発明は、請求項１の発明において、前記肘受けは伸縮自在であることを特徴としたものである。
【０００７】
請求項３の発明は、請求項１又は２の発明において、前記肘受けは予め設定されたプログラムに基いて該肘受けの回動に対応して長さが調整されることを特徴としたものである。
【０００８】
【発明の実施の形態】
図１は、本発明による歯科治療椅子へ乗降補助装置の一実施例を説明するための図で、図中、１０は歯科治療椅子、２０は車椅子、３０は本発明による乗降補助装置で、該乗降補助装置は可搬式に構成されており、使用時、つまり、車椅子に乗った患者が来た時は、術者又はアシスタントは、図示のように、該乗降補助装置３０を歯科治療椅子１０の前に持ってくる。この状態で、車椅子２０を乗降補助装置３０の前に運び、患者は、一旦、該乗降補助装置３０に移動する。
【０００９】
乗降補助装置３０について説明すると、該乗降補助装置３０は、例えば、キャスタ３１を有する基板３２の上に、回転板３３を有し、該回転板３３には、所定の間隔（人間が入れる間隔）をおいて一対の肘受け３４１，３４２が立設されている。これら肘受け３４１，３４２はピン軸３６を中心に前後（矢印Ｘ方向）に回動可能に取り付けられている。
【００１０】
車椅子に座った患者の歯科治療をするには、まず、本発明による乗降補助装置３０を歯科治療椅子１０の前に配置し、次いで、該乗降補助装置３０の前に車椅子２０を運んできて、該車椅子２０の乗降方向と乗降補助装置の乗降方向が一致するように、回転板３３を回転し（矢印Ｙ方向）、次いで、肘受け３４１，３４２を車椅子２０に向けて、つまり、歯科治療椅子１０より前方に回動し（矢印Ｘ方向）図１のＡ１の位置にする。この状態で、患者は車椅子２０から降りるが、その際、肘受け３４１，３４２の助けをかりて回転板３３の上に乗ることができる。
つまり、患者は、手前に伸長してきた肘受け３４１，３４２に掴まり、その後、肘受け３４１，３４２を歯科治療椅子１０に向って回動し、図１のＡ２の位置にすると、患者は、該肘受け３４１，３４２の回動に案内されて回転板３３の上に立つことができる。
【００１１】
次いで、つまり、肘受けをＡ２の位置にした状態で回転板３３を回転させ、患者の背中が歯科治療椅子１０に対向した状態にして、換言すれば、患者が歯科治療椅子１０に着座できる状態にし、次いで、肘受け３４１，３４２を歯科治療椅子１０に向けて回転し、図１のＡ３の位置にすると、患者は、そのまま歯科治療椅子１０に腰掛けることができ、歯科治療を受けることができる。歯科治療中、乗降補助装置３０は、歯科治療の邪魔にならないように、片付けておく。
【００１２】
歯科治療が終わった後は、前記と逆の経路を辿って車椅子２０に戻る。つまり、本発明による乗降補助装置３０を歯科治療椅子１０の前に持って来て、肘受けの向きを、歯科治療椅子の向きに合せ、肘受けを患者に向けて倒す。その状態で、患者が肘受けに掴まると、肘受けが上昇しながら歯科治療椅子に向って回動し、患者は、この肘受けの動きに案内されて回転板３３の上に乗ることができる。
この状態で、回転板を回転して身体の向きを逆にして、つまり、背中を車椅子に向けた状態にし、この状態で、肘受けを車椅子に向けて倒すと、患者は、肘受けに案内されて車椅子に腰掛けることができる。
【００１３】
なお、以上には、患者が車椅子から歯科治療椅子へ乗る時の手順及び歯科治療椅子から車椅子に戻る時の手順の一例を示したが、本発明は、上記例に限定されるものではなく、患者の状態に応じて、任意所望の仕方で、本発明による乗降補助装置を利用して乗降することができる。
【００１４】
また、図には示さないが、前記回転板３３の回転、肘受け３４１，３４２の回動はモータにより電気的に行なわれるものであり、その操作は、肘受け３４１，３４２或いは肘受けアーム３５１，３５２に設けた操作スイッチにより術者又はアシスタント、或いは、患者自身によって行うようにしてもよい。
【００１５】
或いは、肘受けアーム３５１，３５２を伸縮自在（矢印Ｚ方向）に構成しておき、操作スイッチにより患者の身長等に合せて伸縮できるようにしておけば、より安全にかつ効率的に車椅子上の患者を歯科治療椅子に案内し、或いは、歯科治療椅子上の患者を車椅子に戻すことができる。
【００１６】
更には、肘受けアーム３５１，３５２の伸縮を該肘受けアームの回動に応じて制御するように、予めプログラムしておけば、Ａ２の直立時の高さを変えることなく、Ａ１の位置をより患者に近づけることができ、患者の乗降をより楽にすることができる。
【００１７】
【発明の効果】
以上の説明から明らかなように、本発明によると、車椅子上の患者を多くの人の介添えを要することなく、容易かつ安全に歯科治療椅子に案内し、かつ、歯科治療椅子上の患者を車椅子に戻すことができる。
【図面の簡単な説明】
【図１】本発明による歯科治療椅子への乗降補助装置の一使用例を説明するための図である。
【図２】車椅子の患者を歯科治療椅子に乗降させる場合の、従来の一例を説明するための図である。
【符号の説明】
１０…歯科治療椅子、２０…車椅子、３０…乗降補助装置、３１…キャスタ、３２…基板、３３…回転板、３４１，３４２…肘受け、３５１，３５２…肘受けアーム、３６…ピン軸。
【図１】
2004105414.tif 000003
【図２】
2004105414.tif 000004